(57)【要約】【課題】１枚穿きに適したオーバーパンツである。【解決手段】女児用のオーバーパンツ１である。濃色のパンツ本体２と、パンツ本体２の股間部９に重ねられた当て布３とを有する。【選択図】図１
2015052180.tif 000002
【特許請求の範囲】
【請求項１】
女児用のオーバーパンツであって、
濃色のパンツ本体と、前記パンツ本体の股間部に重ねられた当て布とを有することを特徴とするオーバーパンツ。
【請求項２】
前記パンツ本体は、黒色、紺色、グレー色又は赤色系の濃色を有している請求項１に記載のオーバーパンツ。
【請求項３】
前記当て布は、薄色である請求項１又は２に記載のオーバーパンツ。
【請求項４】
前記当て布は、白色である請求項１乃至３のいずれかに記載のオーバーパンツ。
【請求項５】
前記当て布は、綿材料である請求項１乃至４のいずれかに記載のオーバーパンツ。
【請求項６】
前記パンツ本体は、スパッツ型又はブルマー型である請求項１乃至５のいずれかに記載のオーバーパンツ。
【発明の詳細な説明】
【技術分野】
【０００１】
本発明は、一枚穿きに適したオーバーパンツに関する。
【背景技術】
【０００２】
従来、女児用のオーバーパンツとして、ブルマーやスパッツが知られている。これらオーバーパンツは、一般に、重ねばき、即ち、下着であるパンツ（ショーツ）の上から着用される。しかしながら、例えば、夏季においては、重ねばきすると、オーバーパンツ内が蒸れ易く、はき心地が悪いという問題があった。
【先行技術文献】
【特許文献】
【０００３】
【特許文献１】特開２０１２−２０７３２１号公報
【発明の概要】
【発明が解決しようとする課題】
【０００４】
本発明は、以上のような実情に鑑み案出なされたもので、重ねばきのみならず、下着なしでも着用できる、いわゆる一枚穿きに適したオーバーパンツを提供することを主たる目的としている。
【課題を解決するための手段】
【０００５】
本発明は、女児用のオーバーパンツであって、濃色のパンツ本体と、前記パンツ本体の股間部に重ねられた当て布とを有することを特徴としている。
【０００６】
本発明に係るオーバーパンツは、前記パンツ本体は、黒色、紺色、グレー色又は赤色系の濃色を有していることが望ましい。
【０００７】
本発明に係る前記オーバーパンツは、前記当て布は、薄色であることが望ましい。
【０００８】
本発明に係る前記オーバーパンツは、前記当て布は、白色であることが望ましい。
【０００９】
本発明に係る前記オーバーパンツは、前記当て布は、綿材料であることが望ましい。
【００１０】
本発明に係る前記オーバーパンツは、前記パンツ本体は、スパッツ型又はブルマー型であることが望ましい。
【発明の効果】
【００１１】
本発明のオーバーパンツは、従来同様、重ねばきにも使用することができる。一方、夏期等の高温時には、本発明のオーバーパンツは、パンツ本体が濃色であるため、下着には見えにくく、下着なしで一枚穿きとしても使用することができる。この際、本発明のオーバーパンツは、パンツ本体の股間部に当て布が重ねられているため、尿等のシミが外部から視認されるのが防止できる。
【図面の簡単な説明】
【００１２】
【図１】本発明の一実施形態のオーバーパンツの正面図である。
【図２】図１のオーバーパンツの背面図である。
【図３】図１のオーバーパンツの展開図である。
【発明を実施するための形態】
【００１３】
以下、本発明の実施の一形態が図面に基づき説明される。
図１は、本実施形態のオーバーパンツ１の正面図を示している。図２は、図１のオーバーパンツの背面図を示している。
【００１４】
本実施形態のオーバーパンツ１は、女児用に使用されるものであり、とりわけ、身長が１００〜１４０cm程度の女児に好適に使用される。なお、オーバーパンツ１は、このような身長の女児に限定されるわけではない。
【００１５】
オーバーパンツ１は、パンツ本体２と、パンツ本体２に重ねられる当て布３とを有している。
【００１６】
本実施形態のパンツ本体２は、腰から足までぴったりとフィットするスパッツ型である。このようなパンツ本体２は、一見して下着には見えない。本実施形態のスパッツ型のパンツ本体２は、一分丈の形状である。
【００１７】
パンツ本体２は、例えば、ウエスト部４と、１対のレッグ部５、５とを含んでいる。
【００１８】
ウエスト部４は、パンツ本体２の上部に形成され、腰部分が挿入されるウエスト開口部４ａを有している。
【００１９】
レッグ部５は、パンツ本体２の下部に形成され、脚、より具体的には、太腿部分が挿入される脚開口部５ａを有している。
【００２０】
図３には、図１のオーバーパンツの展開図が示される。図３に示されるように、オーバーパンツ１は、例えば、前身頃６と、後身頃７と、股継片８とを含んで構成されている。
【００２１】
本実施形態の前身頃６は、パンツ本体２の正面の略外形状である。前身頃６は、下中央部分に、例えば、円弧状の股成形縁６ａを有している。
【００２２】
本実施形態の後身頃７は、パンツ本体２の背面の略外形状である。後身頃７は、下中央部分に、例えば、円弧状の股成形縁７ａを有している。
【００２３】
本実施形態の股継片８は、前身頃６の股成形縁６ａと後身頃７の股成形縁７ａとを継ぐ。これにより、股継片８は、パンツ本体２の股間部９を形成している。
【００２４】
股継片８は、本実施形態では、略矩形状である。股継片８は、この様な態様に限定されるものではなく、オーバーパンツ１の形状を確保する範囲で、種々の形状を取り得る。
【００２５】
パンツ本体２は、濃色である。このため、オーバーパンツ１は、より一層、下着には見えにくい。従って、下着なしで一枚穿きとして使用することができる。
【００２６】
上述の作用をより効果的に発揮させるため、パンツ本体２の濃色は、より好ましくは、黒色、紺色、グレー色又は赤色系である。パンツ本体２は、これら濃色をパンツ本体２の複数カ所に配しても良いが、下着に見せないため、単色で形成されるのが、望ましい。
【００２７】
パンツ本体２は、ポリエステル材料、ナイロン材料、レーヨン材料など、種々の材料を用いることができるが、とりわけ、綿材料が望ましい。
【００２８】
当て布３は、股間部９の裏面に重ねられている。これにより、例えば、尿等のシミが、当て布３で吸収されるため、シミが外部に漏れ出して視認されるのを防止できる。
【００２９】
本実施形態の当て布３は、股継片８に設けられている。当て布３は、股継片８の外周縁８ａよりも内側に控えた位置に配されている。このため、当て布３は、オーバーパンツ１の使用状態において、レッグ部５の脚開口部５ａから外部に露出することが抑制される。当て布３は、上述の作用を発揮する範囲において、適宜、大きさが決定される。
【００３０】
当て布３は、薄色である。これにより、尿等のシミの付着具合による洗濯時期を容易に確認することができる。また、親が女児の健康状態を容易に確認することができる。このため、当て布３は、より好ましくは、白色である。
【００３１】
当て布３は、吸湿性の高さや肌触りの良さの観点から、好ましくは、綿材料、より好ましくは、綿１００％材料である。
【００３２】
パンツ本体２は、例えば、脚開口部５ａの端部がゴムで絞られたブルマー型（図示省略）でも良い。このようなブルマー型のオーバーパンツ１も、下着に見えにくい。このため、女児やその親は、外部からの視認を気にすることがなく、一枚穿きとすることができる。
【００３３】
本実施形態のオーバーパンツ１は、パンツやショーツなどの下着の上に着用しても構わない。
【００３４】
以上、本発明の実施形態が詳細に説明されたが、本発明は、上記の具体的な実施形態に限定されるものでなく、種々の態様に変更して実施される。
【符号の説明】
【００３５】
１    オーバーパンツ
２    パンツ本体
３    当て布
９    股間部
【図１】
2015052180.tif 000003
【図２】
2015052180.tif 000004
【図３】
2015052180.tif 000005